(57)【要約】【課題】安価な構成で電装部等の結露発生を防止する空気調和機を提供する。【解決手段】熱交換器１３と、前記熱交換器１３に風を送るファン１２と、前記熱交換器１３に対向して前面側に設けられた仕切り壁部６と、前記仕切り壁部６と空間部５ａを挟んで前面側に配置された前面部５と、前記熱交換器１３の下方に配され電気部品（図示せず）を収納した電気箱１４とを備え、前記電気箱１４に対向して前面側に電装部７を設けたもので、熱交換器１３を通過した空気で冷却された仕切り壁部６の冷たさが電装部７に伝わらなくなり、電装部７での結露発生を防止でき、電装部７用の断熱材を廃止または仕切り壁部６の断熱材を簡略化して費用および組み立て工数の低減を図ることができる。【選択図】図１ 
2005156049.tif 000002
【特許請求の範囲】
【請求項１】
熱交換器と、前記熱交換器に風を送るファンと、前記熱交換器に対向して前面側に設けられた仕切り壁部と、前記仕切り壁部と空間部を挟んで前面側に配置された前面部と、前記熱交換器の下方に配され電気部品を収納した電気箱とを備え、前記電気箱に対向して前面側に電装部を設けたことを特徴とする空気調和機。
【請求項２】
熱交換器で発生する結露水を受けるドレン受け部を前記電気箱の上方に配置したことを特徴とする請求項１記載の空気調和機。
【請求項３】
熱交換器を逆Ｖ字型に構成したことを特徴とする請求項１または２記載の空気調和機。
【請求項４】
熱交換器と、前記熱交換器に風を送るファンと、前記熱交換器に対向して前面側に設けられた仕切り壁部と、前記仕切り壁部と空間部を挟んで前面側に配置された前面部と、前記前面部に配された電装部を備え、前記仕切り壁部の裏面を、前記ファンと前記熱交換器との間の空気通路に臨ませたことを特徴とする空気調和機。
【請求項５】
熱交換器をＶ字型に構成したことを特徴とする請求項４記載の空気調和機。
【発明の詳細な説明】
【技術分野】
【０００１】
本発明は、電装部での結露発生を防止する構造を備えた空気調和機に関するものである。
【背景技術】
【０００２】
従来の空気調和機は、冷房運転時の電装部等での結露発生を防止するために断熱部材類を電装部等に貼り付けるなどして対処していた。以下に、図５を用いて、従来の空気調和機について説明する。図５は、従来の空気調和機の縦断面図である。
【０００３】
図５に示すように、空気調和機本体１は、前面下部に設けられた吸込口２、前面上部に設けられた吹出口３、本体背面を形成するリアパネル４、本体前面を形成する前面部５等で構成されている。６は前面部５に対向して設けられた仕切り壁部、７は前面部５の上部に固定された電装部である。また、前面部５は仕切り壁部６との間に空間部５ａを有しており、脱着可能である。冷房運転時の電装部７と仕切り壁部６の結露発生を防止するために、電装部断熱材８を電装部７の背面周囲に、仕切り壁部断熱材９を仕切り壁部６の前面側にそれぞれ貼り付けている。
【０００４】
１０はリアパネル４の下部に取り付けられたケーシングで、このケーシング１０の内部に一端がリアパネル４で支持されたモータ１１が収納されると共に、モータ１１の他端側の軸の先端にはファン１２が装着され、吸込口２とファン１２との間に吸込部５ｃが形成される。
【０００５】
１３はケーシング１０の上方に配設された熱交換器で、１５は熱交換器１３で発生する結露水を受けるドレン受け部である。１４は電気部品が収納された電気箱である。
【０００６】
上記構成において、空気調和機本体１の運転を開始すると、モータ１１によりファン１２が回転し、室内空気が吸込口２より吸引され、吸込部５ｃを通って熱交換器１３で熱交換された後吹出口３から吹き出されるものである（例えば、特許文献１参照）。
【特許文献１】特開２００２−２３５９５０号公報
【発明の開示】
【発明が解決しようとする課題】
【０００７】
しかしながら、前記従来の構成では、冷房運転時に、貼り付け可能な厚みの仕切り壁部断熱材９に結露した水滴を前面部５下部に位置する吸込部５ｃで吸収するために前面部５と前記吸込部５ｃとの間に隙間５ｂがあり、また、電装部７にも隙間があり、ファン１２の運転により前面部５の空間部５ａに空気流動がおこり、電装部７および仕切り壁部６が結露するため、電装部断熱材８と仕切り壁部断熱材９を貼り付けなければならないといった課題を有していた。また、電装部断熱材８および仕切り壁部断熱材９を厚くすると、前面部５および仕切り壁部６が厚くなり、通風路を狭くして通風抵抗を増大させるという課題も有していた。
【０００８】
本発明は、前記従来の課題を解決するもので、電装部等での結露発生を防止し、通風抵抗を増大させることなく、電装部７等を断熱する断熱材を廃止または簡略化して費用および組み立て工数の低減を図り、安価な空気調和機を提供することを目的とする。
【課題を解決するための手段】
【０００９】
前記従来の課題を解決するために、本発明の空気調和機は、熱交換器と、前記熱交換器
に風を送るファンと、前記熱交換器に対向して前面側に設けられた仕切り壁部と、前記仕切り壁部と空間部を挟んで前面側に配置された前面部と、前記熱交換器の下方に配され電気部品を収納した電気箱とを備え、前記電気箱に対向して前面側に電装部を設けたもので、熱交換器を通過した空気によって冷却された仕切り壁部の冷たさが電装部に伝わらなくなり、電装部等での結露発生を防止でき、電装部用の断熱材を廃止または仕切り壁部の断熱材を簡略化して費用および組み立て工数の低減を図ることができる。
【００１０】
また、本発明の空気調和機は、熱交換器と、前記熱交換器に風を送るファンと、前記熱交換器に対向して前面側に設けられた仕切り壁部と、前記仕切り壁部と空間部を挟んで前面側に配置された前面部と、前記前面部に配された電装部を備え、前記仕切り壁部の裏面を、前記ファンと前記熱交換器との間の空気通路に臨ませたもので、熱交換器を通過した空気が仕切り壁部の裏面に当たらず、電装部と仕切り壁部が冷却されることがないので、電装部と仕切り壁部での結露発生を防止でき、電装部と仕切り壁部の断熱材を廃止して費用および組み立て工数の低減を図ることができる。
【発明の効果】
【００１１】
本発明の空気調和機は、通風抵抗を増加させる事なく安価な構成で電装部での結露を防止することができる。
【発明を実施するための最良の形態】
【００１２】
第１の発明は、熱交換器と、前記熱交換器に風を送るファンと、前記熱交換器に対向して前面側に設けられた仕切り壁部と、前記仕切り壁部と空間部を挟んで前面側に配置された前面部と、前記熱交換器の下方に配され電気部品を収納した電気箱とを備え、前記電気箱に対向して前面側に電装部を設けたもので、熱交換器を通過した空気によって冷却された仕切り壁部の冷たさが電装部に伝わらなくなり、電装部等での結露発生を防止でき、電装部用の断熱材を廃止または仕切り壁部の断熱材を簡略化して費用および組み立て工数の低減を図ることができる。
【００１３】
第２の発明は、特に、第１の発明の熱交換器で発生する結露水を受けるドレン受け部を前記電気箱の上方に配置したもので、電装部がさらに下方に位置することになり、電装部は、仕切り壁部の冷たさの影響をさらに受け難くなり、電装部等での結露発生を確実に防止できる。
【００１４】
第３の発明は、特に、第１および第２の発明の熱交換器を逆Ｖ字型に構成したもので、熱交換性能を大幅に向上させる事ができる。また熱交換器の容積を従来品と同等以上にすることができる。
【００１５】
第４の発明は、熱交換器と、前記熱交換器に風を送るファンと、前記熱交換器に対向して前面側に設けられた仕切り壁部と、前記仕切り壁部と空間部を挟んで前面側に配置された前面部と、前記前面部に配された電装部を備え、前記仕切り壁部の裏面を、前記ファンと前記熱交換器との間の空気通路に臨ませたもので、熱交換器を通過した空気が仕切り壁部の裏面に当たらず、電装部と仕切り壁部が冷却されることがないので、電装部と仕切り壁部での結露発生を防止でき、電装部と仕切り壁部の断熱材を廃止して費用および組み立て工数の大幅な低減を図ることができる。
【００１６】
第５の発明は、特に、第４の発明の熱交換器をＶ字型に構成したもので、熱交換性能が向上すると共に、熱交換器の容積を従来品と同等以上にすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の縦断面図である。なお、従来例と同一部分については、同一符号を付してその説明を省略する。
【００１９】
本実施の形態は、図１に示すように、熱交換器１３の凝縮水を受けるドレン受け部１５の下方に電気部品が収納された電気箱１４を配し、電気箱１４に対向して前面側に電装部７を設けるもので、冷房運転時に熱交換器１３を通過した空気により仕切り壁部６が冷やされても、その冷たさが電装部７に伝わらないので、電装部７等が冷却されることがなくなり、電装部７等での結露発生を防止でき、電装部７等用の電装部断熱材８を廃止または仕切り壁部断熱材９を簡略化して製造コストおよび組み立て工数の低減を図ることができる。
【００２０】
（実施の形態２）
図２は、本発明の第２の実施の形態における空気調和機の縦断面図である。なお、上記実施の形態と同一部分については、同一符号を付してその説明を省略する。
【００２１】
本実施の形態においては、熱交換器１３を逆Ｖ字型に構成するもので、熱交換性能が大幅に向上することになる。また、第１の実施の形態における熱交換器１３の容積を従来品と同等以上にすることができる。
【００２２】
（実施の形態３）
図３は、本発明の第３の実施の形態における空気調和機の縦断面図である。なお、上記実施の形態と同一部分については、同一符号を付してその説明を省略する。
【００２３】
本実施の形態においては、熱交換器１３を、その上端が前側に、下端が後側になるように傾けて設けて、仕切り壁部６の裏面を、ファン１２と熱交換器１３との間の空気通路１６に臨ませ、さらに仕切り壁部６に対向する前面側に電装部７を設けたものである。
【００２４】
上記構成により、仕切り壁部６の裏面には、熱交換器１３を通過した後の空気が、即ち冷房運転時には冷却された空気が当たらないので、仕切り壁部６、電装部７が冷却される事がなくなり、その部分での結露発生を防止でき、電装部断熱材８と仕切り壁部断熱材９を廃止して費用および組み立て工数の大幅な低減を図ることができる。
【００２５】
図４は、上記実施の形態の他の例を示す空気調和機の縦断面図で、熱交換器１３をＶ字型に構成したもので、仕切り壁部６に対向する熱交換器１３の前側の前部熱交換器１３ａは、上記実施の形態同様、上端が前側に下端が後側になっているので、仕切り壁部６、電装部７が、熱交換器１３を通過した冷たい風で冷却される事がなく、電装部断熱材８と仕切り壁部断熱材９を廃止して費用および組み立て工数の低減を図ることができるとともに、熱交換器１３がＶ字型に構成されているので、熱交換性能が大幅に向上するものである。また、熱交換器１３の容積を従来品と同等以上にすることができる。
【産業上の利用可能性】
【００２６】
以上のように、本発明にかかる空気調和機は、通風抵抗を増大させることなく安価な構成で電装部での結露発生を防止することが可能となるので、電装部が設けられた床置型空気調和機の室内機、除湿機、冷蔵庫およびショ−ケ−ス等の用途にも適用できる。
【図面の簡単な説明】
【００２７】
【図１】本発明の実施の形態１における空気調和機の縦断面図
【図２】本発明の実施の形態２における空気調和機の縦断面図
【図３】本発明の実施の形態３における空気調和機の縦断面図
【図４】他の例を示す空気調和機の縦断面図
【図５】従来の空気調和機の縦断面図
【符号の説明】
【００２８】
１    空気調和器本体
２    吸込口
３    吹出口
５    前面部
５ａ  空間部
６    仕切り壁部
７    電装部
８    電装部断熱材
９    仕切り壁部断熱材
１１    モータ
１２    ファン
１３    熱交換器
１４    電気箱
１５    ドレン受け部
【図１】
2005156049.tif 000003
【図２】
2005156049.tif 000004
【図３】
2005156049.tif 000005
【図４】
2005156049.tif 000006
【図５】
2005156049.tif 000007